(57)【要約】      （修正有）【課題】被載置体に吸着し位置決めすることができ、外力の衝突による割れはない食べ物載置プレートを提供する。【解決手段】金属製のプレート本体１２とパッド体１４とを含む。プレート本体１２は、プレート底１６と、プレート底１６の周縁から上方へ延在するプレート体１８とを含み、プレート底１６の内表面２０とプレート体１８の内表面２４とで食べ物載置用のスペース２８が画定されている。パッド体１４は、可撓性または軟質材料からなり、底部３０と、底部３０の周縁から上方へ延在する周囲部３２とを含み、射出成型によりプレート本体１２のプレート底１６の外表面及びプレート体１８の外表面に被覆されることで、プレート本体１２の外表面と一体に結合される。該食べ物載置プレート１０は、被載置体に吸着し位置決めすることができ、外力の衝突による落下はない。【選択図】図１
0003203227.tif 000002
【実用新案登録請求の範囲】
【請求項１】
金属材質からなり、対向する内表面と外表面とを有するプレート底と、該プレート体の周縁から上方へ延在し、対向する内表面と外表面とを有するプレート体とを含み、該プレート底の内表面と該プレート体の内表面とで食べ物載置プレート用のスペースが画定されるプレート本体と、
対向する上表面と下表面とを有する底部と、該底部の周縁から上方へ延在し、対向する内側面と該側面とを有する周囲部とを含むパッド体であって、射出成型によりそのプレート底の外表面及びそのプレート体の外表面に被覆されることで、該底部の上表面及び該周囲部の内側面がそれぞれ該プレート底の外表面及び該プレート体の外表面と一体に結合されるパッド体と、
を備えることを特徴とする食べ物載置プレート。
【請求項２】
該パッド体の底部の下表面には中心凹部及び複数の溝が設けられており、各溝は、該下表面の径方向に沿って該凹部から該パッド体の底部周縁に延在することを特徴とする請求項１に記載の食べ物載置プレート。
【請求項３】
該プレート本体は、ステンレス材質からなり、該パッド体は、シリカゲル材からなることを特徴とする請求項１に記載の食べ物載置プレート。
【請求項４】
該プレート本体は、ステンレス材質からなり、該パッド体は、シリカゲル材からなることを特徴とする請求項２に記載の食べ物載置プレート。
【請求項５】
該周囲部の上端縁は、該プレート体の上端縁と面一になっていることを特徴とする請求項２に記載の食べ物載置プレート。
【考案の詳細な説明】
【技術分野】
【０００１】
本考案は、食べ物載置プレートに関し、特に食べ物が載置され滑り止めとして機能するプレートに関するものである。
【背景技術】
【０００２】
食べ物載置用のプレートは、欠かせないキッチン用具の一つである。市販の食べ物載置プレートは、一般に、耐熱のセラミックからなり、底部に円状の突出部分が設けられているものである。この円状の突出部分は、プレートのパッドとして機能するものであるが、プレートが平滑なテーブル面に載置され使用された場合、依然として外力の不注意な衝突によって割れてしまい、特にテーブル面に水垢が残留した場合、プレートは滑りやすくなり落下転倒してしまい、プレートの割れや食べ物の浪費となる。また、市販のプラスチック製の食べ物載置プレートをもって熱い食べ物を載置した場合、プラスチックプレート本体は熱を受けて有害物質が放出されるため、長期にわたって使用し続けていると、人体に危害をもたらすことがある。
【考案の概要】
【考案が解決しようとする課題】
【０００３】
そこで、本考案は、上記の従来のセラミックスやプラスチック製のプレートの問題を改善するために、耐熱、割れなく、油がつきにくく、洗浄しやすい点で優れているとともに、被載置体に吸着し位置決めすることができ、外力の衝突による割れはない食べ物載置プレートを提供することを目的とする。
【課題を解決するための手段】
【０００４】
本考案に係る食べ物載置プレートは、プレート本体とパッド体とを含む。該プレート本体は、金属材質からなり、プレート底とプレート体とを含む。該プレート体は、該プレート底の周縁から上方へ延在し、該プレート底の内表面と該プレート体の内表面とで食べ物載置用のスペースが画定されている。該パッド体は、上表面とした表面とを有する底部と、該底部の周縁から上方へ延在し、内側面と外側面とを有する周囲部とを含む。該パッド体は、射出成型により該プレート本体のプレート底外表面及び該プレート体の外表面に被覆されることで、該底部の上表面及び該周囲部の内側面がそれぞれ該プレート底の外表面及び該プレート体の外表面と一体に結合される。
【考案の効果】
【０００５】
本考案に係る食べ物載置プレートによれば、被載置体に吸着し位置決めすることができ、外力の衝突による落下はない。
【図面の簡単な説明】
【０００６】
【図１】本考案に係る食べ物載置プレートの素子分解図である。
【図２】本考案に係る食べ物載置プレートの他の素子分解図である。
【図３】図２の食べ物載置プレートの立体図である。
【図４】図３の食べ物載置プレートの平面図である。
【図５】図４の食べ物載置プレートの局所断面図である。
【図６】図４の食べ物載置プレートが被載置体に載置された様子を模式的に示した図である。
【考案を実施するための形態】
【０００７】
図１〜５は、本考案に係る食べ物載置プレート１０を示す。食べ物載置プレート１０は、プレート本体１２とパッド体１４とを含む。プレート本体１２は、例えばステンレスのような金属材質からなり、プレート底１６と環状のプレート体１８とを含む。プレート体１８は、プレート底１６の周縁から上方へ延在する。プレート底１６は、内表面２０と、外表面２２とを有し、プレート体１８は、内表面２４と、外表面２６とを有し、プレート底１６の内表面２０とプレート体１８の内表面２４とで食べ物載置用のスペース２８が画定されている。
【０００８】
パッド体１４は、例えばシリカゲルのような可撓性または軟質材料からなり、その外形がプレート本体１２に対応する。パッド体１４は、略円形となり、底部３０と、底部３０の周縁から上方へ延在する周囲部３２とを含む。底部３０は、上表面３４と、下表面３６とを有し、周囲部３２は、内側面３８と、外側面４０とを有し、底部３０の上表面３４及び周囲部３２の内側面３８は、それぞれプレート底１６の外表面２２及びプレート体１８の外表面２６と結合される。この実施例において、パッド体１４は、射出成型によりプレート本体１２のプレート底１６の外表面２２及びプレート体１８の外表面２６に被覆されることで、プレート本体１２の外部と一体に結合される。また、周囲部３２の上端縁４２は、プレート体１８の上端縁４４と面一になっている（図５参照）。パッド体１４の底部３０の下表面３６には、中心凹部４６と複数の溝４８とが設けられており、該複数の溝４８は、凹部４６を中心として外方へ放射状に底部３０の周縁５０に延在する。即ち、各溝４８は、下表面３６の径方向に沿って凹部４６から底部３０の周縁５０に延在する。
【０００９】
図６は、食べ物載置プレート１０が被載置体５２（例えばテーブル面）に載置される様子を示す。パッド体１４がプレート本体１２の底部（即ちプレート底１６の外表面２２及びプレート体１８の外表面２６）に被覆されることにより、プレート本体１２の支持パッドとして機能することができる。また、パッド体１４の下表面３６の凹部４６は、吸着として機能するため、食べ物載置プレート１０が被載置体５２に載置され使用された場合、被載置体５２の平滑な表面または外力の不注意な衝突によって落下することはない。さらに、被載置体５２に水垢が残留した場合、凹部４６内にたまった水は、該複数の溝４８を介して底部３０の周縁５０に流れ、パッド体１４の底部３０から排出することができる。従って、食べ物載置プレート１０は、被載置体５２に摺動することはない。さらに、プレート本体１２がステンレスのような材質からなるため、プレート本体１２は、耐熱かつ割れない点で優れている。また、複数の食べ物載置プレート１０が立ち並んで収納された場合、パッド体１４の底部３０にたまった水は、複数の溝４８を介して流出することができ、乾燥しやすい利点を有する。
【００１０】
上記のように、これらの実施の形態は本考案の好ましい実施例のみであり、この技術分野において通常知識を有する者が本考案の特許請求の範囲に基づいてなされる等価の変更や修飾は、本考案の技術範囲に入るものである。
【００１１】
以上のように、本考案では、金属材質からなり、対向する内表面と外表面とを有するプレート底と、該プレート体の周縁から上方へ延在し、対向する内表面と外表面とを有するプレート体とを含み、該プレート底の内表面と該プレート体の内表面とで食べ物載置プレート用のスペースが画定されるプレート本体と、対向する上表面と下表面とを有する底部と、該底部の周縁から上方へ延在し、対向する内側面と該側面とを有する周囲部とを含むパッド体であって、射出成型によりそのプレート底の外表面及びそのプレート体の外表面に被覆されることで、該底部の上表面及び該周囲部の内側面がそれぞれ該プレート底の外表面及び該プレート体の外表面と一体に結合されるパッド体と、を備えることを特徴とする食べ物載置プレートとするものである。
【００１２】
また、該パッド体の底部の下表面には中心凹部及び複数の溝が設けられており、各溝は、該下表面の径方向に沿って該凹部から該パッド体の底部周縁に延在するものとする。
【００１３】
また、該プレート本体は、ステンレス材質からなり、該パッド体は、シリカゲル材からなるものとする。
【００１４】
また、該プレート本体は、ステンレス材質からなり、該パッド体は、シリカゲル材からなるものとする。
【００１５】
また、該周囲部の上端縁は、該プレート体の上端縁と面一になっているものとする。
【産業上の利用可能性】
【００１６】
本考案に係る食べ物載置プレートによれば、被載置体に吸着し位置決めすることができ、外力の衝突による落下はない。
【符号の説明】
【００１７】
１０  食べ物載置プレート
１２  プレート本体
１４  パッド体
１６  プレート底
１８  プレート体
２０  内表面
２２  外表面
２４  内表面
２６  外表面
２８  スペース
３０  底部
３２  周囲部
３４  上表面
３６  下表面
３８  内側面
４０  外側面
４２  上端縁
４４  上端縁
４６  中心凹部
４８  溝
５０  周縁
５２  被載置体
【図１】
0003203227.tif 000003
【図２】
0003203227.tif 000004
【図３】
0003203227.tif 000005
【図４】
0003203227.tif 000006
【図５】
0003203227.tif 000007
【図６】
0003203227.tif 000008